(57)【要約】【課題】磁気インク文字の読み取りを効率的に行うことが可能な情報読取装置及び情報読取方法を提供する。【解決手段】磁気インク文字が印字された媒体を搬送路に沿って搬送可能な搬送手段と、前記搬送手段により前記搬送路上を搬送される前記媒体から前記磁気インク文字を磁気的に読み取る読取手段と、前記読取手段で読み取られた前記磁気インク文字の信号波形を認識する認識手段と、前記読取手段による前記磁気インクの読取方向が第１の方向か当該第１の方向と逆方向である第２の方向かを判定する判定手段と、前記判定手段による判定結果に基づいて、前記認識手段が前記信号波形を認識する前に前記信号波形を上下左右方向に反転する反転手段と、を備える。【選択図】図７
2017126161.tif 000002
【特許請求の範囲】
【請求項１】
磁気インク文字が印字された媒体を搬送路に沿って搬送可能な搬送手段と、
前記搬送手段により前記搬送路上を搬送される前記媒体から前記磁気インク文字を磁気的に読み取る読取手段と、
前記読取手段で読み取られた前記磁気インク文字の信号波形を認識する認識手段と、
前記読取手段による前記磁気インクの読取方向が第１の方向か当該第１の方向と逆方向である第２の方向かを判定する判定手段と、
前記判定手段による判定結果に基づいて、前記認識手段が前記信号波形を認識する前に前記信号波形を上下左右方向に反転する反転手段と、
を備える情報読取装置。
【請求項２】
前記反転手段は、前記判定手段により前記媒体の搬送方向が前記第２の方向であると判定された場合に前記磁気インク文字の信号波形を上下左右方向に反転する請求項１に記載の情報読取装置。
【請求項３】
前記判定手段は、前記媒体の搬送方向に基づいて前記読取手段の前記読取方向を判定する請求項１又は２に記載の情報読取装置。
【請求項４】
前記媒体が搬送され、且つ前記読取手段が前記磁気インク文字を読み取れない場合、前記媒体の向きの変更を指示する報知を行う報知手段を更に備える請求項１〜３の何れか一項に記載の情報読取装置。
【請求項５】
磁気インク文字が印字された媒体を搬送路に沿って搬送可能な搬送手段と、前記搬送手段により前記搬送路上を搬送される前記媒体から前記磁気インク文字を磁気的に読み取る読取手段と、を備えた情報読取装置で実行される情報読取方法であって、
前記読取手段で読み取られた前記磁気インク文字の信号波形を認識し、
前記読取手段による前記磁気インクの読取方向が第１の方向か当該第１の方向と逆方向である第２の方向かを判定し、
判定結果に基づいて、前記信号波形を認識する前に前記信号波形を上下左右方向に反転する情報読取方法。
【発明の詳細な説明】
【技術分野】
【０００１】
本発明の実施形態は、情報読取装置及び情報読取方法に関する。
【背景技術】
【０００２】
商取引や店舗での買い物において、小切手が用いられる場合がある。小切手の表面には金額やサイン等が記載される他、小切手番号等の情報が磁気インク文字によって所定の位置に記載されている。係る磁気インク文字は、磁気ヘッドを備えた情報読取装置（ＭＩＣＲ：Magnetic  Ink  Character  Reader）によって読み取られる。
【０００３】
また、従来、小切手の搬送路上に磁気ヘッドを設置し、第１の方向への搬送により得られたデータと、第１の方向とは反対の第２の方向への搬送により得られたデータとを用いて、磁気インク文字を認識する技術が提案されている。
【０００４】
しかしながら、従来の技術では、往復の読み取りが必要となるため非効率的であるという問題があった。
【発明の概要】
【発明が解決しようとする課題】
【０００５】
本発明が解決しようとする課題は、磁気インク文字の読み取りを効率的に行うことが可能な情報読取装置及び情報読取方法を提供することである。
【課題を解決するための手段】
【０００６】
実施形態の情報読取装置は、搬送手段と、読取手段と、認識手段と、判定手段と、反転手段とを備える。搬送手段は、磁気インク文字が印字された媒体を搬送路に沿って搬送する。読取手段は、前記搬送手段により前記搬送路上を搬送される前記媒体から前記磁気インク文字を磁気的に読み取る。認識手段は、前記読取手段で読み取られた前記磁気インク文字の信号波形を認識する。判定手段は、前記読取手段による前記磁気インクの読取方向が第１の方向か当該第１の方向と逆方向である第２の方向かを判定する。反転手段は、前記判定手段による判定結果に基づいて、前記認識手段が前記信号波形を認識する前に前記信号波形を上下左右方向に反転する。
【図面の簡単な説明】
【０００７】
【図１】図１は、実施形態に係る情報読取装置の概略構成を示す図である。
【図２】図２は、磁気ヘッドの設置位置の一例を模式的に示す図である。
【図３】図３は、磁気ヘッドの設置位置の一例を模式的に示す図である。
【図４】図４は、磁気ヘッドの設置位置の一例を模式的に示す図である。
【図５】図５は、磁気インク文字及びこれを読み取った場合に得られる信号波形の一例を示す図である。
【図６】図６は、磁気インク文字及びこれを読み取った場合に得られる信号波形の一例を示す図である。
【図７】図７は、実施形態に係る情報読取装置の制御構成の一例を示す図である。
【図８】図８は、実施形態に係る情報読取装置の動作を説明するためのフローチャートである。
【発明を実施するための形態】
【０００８】
図１は、情報読取装置の概略構成を示す図である。図１に示すように、情報読取装置１は、読み取り対象の媒体である用紙Ｐを搬送するための用紙搬送路２を備える。用紙Ｐは、例えば小切手等の有価証券の紙媒体である。用紙Ｐの表面には、金額やサイン等が記載される他、小切手番号等の情報が磁気インク文字Ｍ（図２参照）によって所定の位置に記載されている。磁気インク文字Ｍは、一般にＥ−１３ＢやＣＭＣ−７等の規格に順じた書体で印字される。
【０００９】
搬送ローラ３は、用紙搬送路２に沿って設けられ、用紙搬送路２に挿入された用紙Ｐを、矢印Ａ又は矢印Ｂの往復方向に搬送する。用紙センサ４は、用紙搬送路２の両端付近等に設けられ、用紙搬送路２上の用紙Ｐを検出する。図１では、用紙搬送路２の左端に設けた用紙センサ４を用紙センサ４Ｌと表記し、右端に設けた用紙センサ４を用紙センサ４Ｒと表記している。
【００１０】
磁気ヘッド５は、用紙Ｐに印字された磁気インク文字を磁気的に読み取り、当該磁気インク文字Ｍの形状に対応した信号波形を出力する。磁気ヘッド５は、用紙Ｐが所定の向きで用紙搬送路２に挿入された場合に、当該用紙Ｐから磁気インク文字Ｍを読み取り可能な位置に一又は複数個設けられる。なお、図１では、磁気ヘッド５を用紙搬送路２の上側に設けた例を示しているが、これに限らず、用紙搬送路２の下側に設けてもよい。
【００１１】
図２〜図４は、磁気ヘッド５（５ａ〜５ｅ）の設置位置の一例を模式的に示す図であり、用紙搬送路２を上から見た状態を表している。なお、図２〜図４では、用紙Ｐの表面において、長手方向の下辺側に磁気インク文字Ｍが印字されるフォーマットを想定している。
【００１２】
図２は、一個の磁気ヘッド５ａを設けた例を示している。同図では、磁気ヘッド５ａを用紙搬送路２の上側で、且つ長手方向の一方の辺側に設けている。この構成の場合、磁気ヘッド５ａは、用紙Ｐの表面が上向きで、且つ磁気インク文字Ｍの印字辺が磁気ヘッド５ａの設置辺と同じ向きで挿入（搬送）されると、当該磁気インク文字Ｍを読み取ることができる。以下、この構成を「第１構成」という。
【００１３】
また、図３は、二個の磁気ヘッド５ｂ、５ｃを、互いに異なる位置に設けた例を示している。同図では、磁気ヘッド５ｂを用紙搬送路２の上側で、且つ長手方向の一方の辺側に設けている。また、磁気ヘッド５ｃを、用紙搬送路２の下側で、且つ磁気ヘッド５ｂに対向する位置に設けている。この構成の場合、磁気ヘッド５ｂは、用紙Ｐの表面が上向きで、且つ磁気インク文字Ｍの印字辺が磁気ヘッド５ｂの設置辺と同じ向きで挿入（搬送）されると、当該磁気インク文字Ｍを読み取ることができる。また、磁気ヘッド５ｃは、用紙Ｐの裏面が上向きで、且つ磁気インク文字Ｍの印字辺が磁気ヘッド５ｃの設置辺と同じ向きで挿入（搬送）されると、当該磁気インク文字Ｍを読み取ることができる。以下、この構成を「第２構成」という。
【００１４】
また、図４は、二個の磁気ヘッド５ｄ、５ｅを、互いに異なる位置に設けた例を示している。同図では、磁気ヘッド５ｄを用紙搬送路２の上側で、且つ長手方向の一方の辺側に設けている。また、磁気ヘッド５ｅを、用紙搬送路２の下側で、且つ長手方向の他方の辺側に設けている。この構成の場合、磁気ヘッド５ｄは、用紙Ｐの表面が上向きで、且つ磁気インク文字Ｍの印字辺が磁気ヘッド５ｄの設置辺と同じ向きで挿入（搬送）されると、当該磁気インク文字Ｍを読み取ることができる。また、磁気ヘッド５ｅは、用紙Ｐの裏面が上向きで、且つ磁気インク文字Ｍの印字辺が磁気ヘッド５ｃの設置辺と同じ向きで挿入（搬送）されると、当該磁気インク文字Ｍを読み取ることができる。以下、この構成を「第３構成」という。
【００１５】
このように、磁気ヘッド５（５ａ〜５ｅ）は、用紙Ｐが所定の向きで用紙搬送路２に挿入された場合に、当該用紙Ｐから磁気インク文字Ｍを読み取ることができる。また、磁気ヘッド５（５ａ〜５ｅ）の設置位置から、磁気インク文字Ｍを正常に読み取るための読み取り方向、つまり磁気インク文字Ｍを正常に読み取るための用紙Ｐの搬送方向（以下、正方向という）が一意に定まる。例えば、磁気インク文字Ｍの文字列を右端から左端にかけて読み取ることが正規の読み取り方向として規定されている場合を想定する。この場合、第１構成では、磁気ヘッド５ａに対し、矢印Ａの方向が正方向として一意に定まる。第２構成では、磁気ヘッド５ｂに対し、矢印Ａの方向が正方向として一意に定まる。また、磁気ヘッド５ｃに対し、矢印Ｂの方向が正方向として一意に定まる。第３構成では、磁気ヘッド５ｄに対し、矢印Ａの方向が正方向として一意に定まる。また、磁気ヘッド５ｅに対し、矢印Ａの方向が正方向として一意に定まる。なお、磁気ヘッド５（５ａ〜５ｅ）の各々を識別する識別子、つまり磁気ヘッド５の各設置位置と、正方向（或いは逆方向）との対応関係は、設定情報としてＲＯＭ１２等に予め記憶されているものとする。
【００１６】
ところで、磁気インク文字Ｍは、正方向とは逆の方向（逆方向）から読み取ると、正方向の読み取りで得られる信号波形とは異なる信号波形が得られる。以下、図５、図６を参照して、磁気インク文字Ｍの読み取り方向について説明する。
【００１７】
図５、図６は、磁気インク文字Ｍ及びこれを読み取った場合に得られる信号波形の一例を示す図である。図５、図６において、磁気インク文字Ｍは、１〜０の数字列と当該数字列を囲む制御文字とで構成される。なお、磁気インク文字Ｍは、文字列を右端から左端にかけて読み取ることが正方向として規定されているものとする。
【００１８】
図５（ａ）は、ギャップ長が０．０７６ミリメートルの磁気ヘッド５に対し、磁気インク文字Ｍを８ｉｐｓ（インチ毎秒）程度の速度で図中矢印Ａ方向（正方向）に搬送した例を示している。この場合、磁気ヘッド５は、図５（ｂ）に示すように、磁気インク文字Ｍの右端から左端にかけての形状に応じた信号波形を出力する。なお、信号波形は、所定のサンプリング周期当たりの磁荷の変化量を表すものであり、磁気インク文字Ｍの読み取り方向の形状に応じた波形を有する。
【００１９】
一方、図６（ａ）は、ギャップ長が０．０７６ミリメートルの磁気ヘッド５に対し、同様の速度で磁気インク文字Ｍを図中矢印Ｂ方向（逆方向）に搬送した例を示している。この場合、磁気ヘッド５は、図６（ｂ）に示すように、磁気インク文字Ｍの左端から右端にかけての形状に応じた信号波形を出力する。
【００２０】
ここで、図５（ｂ）と、図６（ｂ）の信号波形を比較すると、その波形が相違することが分かる。具体的には、図５（ｂ）の信号波形を上下左右方向に反転させたものが、図６（ｂ）の信号波形に略一致する。
【００２１】
このように、磁気インク文字Ｍは、読み取り方向によって得られる信号波形が相違する。そのため、用紙Ｐを逆方向で搬送した場合には、磁気インク文字Ｍから正確な信号波形を得ることができず、磁気インク文字Ｍを認識することができないという問題がある。
【００２２】
そこで、本実施形態の情報読取装置１では、用紙Ｐが逆方向で搬送された場合に、信号波形を補正することで、正方向で磁気インク文字Ｍを読み取った場合と同様の信号波形を取得する。以下、情報読取装置の制御構成について説明する。
【００２３】
図７は、情報読取装置１の制御構成の一例を示す図である。図７に示すように、情報読取装置１は、上記した磁気ヘッド５とともに、ＣＰＵ（Central  Processing  Unit）１１、ＲＯＭ（Read  Only  Memory）１２、ＲＡＭ（Random  Access  Memory）１３、表示部１４、操作部１５、用紙検出部１６及び用紙搬送機構１７を備える。
【００２４】
ＣＰＵ１１は、ＲＯＭ１２に記憶されたプログラムを実行することで、情報読取装置１の動作を統括的に制御する。また、ＣＰＵ１１は、ＲＯＭ１２に記憶されたプログラムを実行することで、後述する機能部を実現させる。
【００２５】
ＲＯＭ１２は、ＣＰＵ１１が実行可能な各種のプログラムや、情報読取装置１の動作に係る各種の設定情報を記憶する。ＲＡＭ１３は、ＣＰＵ１１が各種プログラムを実行する際に一時的にデータやプログラムを記憶する。
【００２６】
表示部１４は、ＬＣＤ（Liquid  Crystal  Display）等の表示デバイスを有し、ＣＰＵ１１の制御の下、各種情報を表示する。操作部１５は、操作スイッチ等の入力デバイスを有し、当該入力デバイスを介して入力された操作内容をＣＰＵ１１に出力する。
【００２７】
用紙検出部１６は、上記した用紙センサ４を含み、各用紙センサ４の出力に基づいて、用紙搬送路２上の用紙Ｐの位置を検出する。
【００２８】
用紙搬送機構１７は、上記した用紙搬送路２及び搬送ローラ３を含むとともに、その各搬送ローラ３の駆動モータ及び駆動回路を含む。用紙搬送機構１７は、ＣＰＵ１１の制御の下、挿入された用紙Ｐを図１の矢印Ａ又は矢印Ｂ方向の往復方向に搬送させる。
【００２９】
また、ＣＰＵ１１は、搬送制御部２１、判定部２２、補正部２３、認識部２４及び出力制御部２５を機能部として備える。
【００３０】
搬送制御部２１は、用紙搬送機構１７を制御することで、用紙搬送路２上における用紙Ｐの搬送方向を制御する。具体的に、搬送制御部２１は、用紙検出部１６の検出位置等に基づき、用紙Ｐの搬送方向を決定する。
【００３１】
例えば、図１に示した用紙搬送路２の左端方向から用紙Ｐが挿入されると、用紙検出部１６は、用紙センサ４Ｌにより用紙Ｐの位置を検出する。この場合、搬送制御部２１は、用紙搬送路２に挿入された用紙Ｐを、矢印Ａの方向に搬送させるよう用紙搬送機構１７を制御する。また、例えば、図１に示した用紙搬送路２の右端方向から用紙Ｐが挿入されると、用紙検出部１６は、用紙センサ４Ｒにより用紙Ｐの位置を検出する。この場合、搬送制御部２１は、用紙搬送路２に挿入された用紙Ｐを矢印Ｂの方向に搬送させるよう用紙搬送機構１７を制御する。
【００３２】
判定部２２は、磁気ヘッド５により磁気インク文字Ｍが読み取られると、その読み取り時の用紙Ｐの搬送方向が正方向（第１の方向）か当該正方向と逆方向（第２の方向）か否かを判定する。より詳細には、判定部２２は、用紙Ｐの搬送方向と、設定情報として記憶された、磁気インク文字Ｍを読み取った磁気ヘッド５の識別子（或いは設置位置）に対応する正方向とに基づき、両方向が一致するか否かを判定する。
【００３３】
例えば、第１構成（図２参照）の場合、判定部２２は、磁気ヘッド５ａが磁気インク文字Ｍを読み取ると、用紙Ｐが矢印Ａ方向に搬送されたか否かを判定する。ここで、判定部２２は、用紙Ｐが矢印Ａ方向に搬送された場合、正方向に搬送されたと判定する。一方、判定部２２は、用紙Ｐが矢印Ｂ方向に搬送された場合、逆方向に搬送されたと判定する。
【００３４】
また、第２構成（図３参照）の場合、判定部２２は、磁気ヘッド５ｂが磁気インク文字Ｍを読み取ると、用紙Ｐが矢印Ａ方向に搬送されたか否かを判定する。ここで、判定部２２は、用紙Ｐが矢印Ａ方向に搬送された場合、正方向に搬送されたと判定する。一方、判定部２２は、用紙Ｐが矢印Ｂ方向に搬送された場合、逆方向に搬送されたと判定する。また、判定部２２は、磁気ヘッド５ｃが磁気インク文字Ｍを読み取ると、用紙Ｐが矢印Ｂ方向に搬送されたか否かを判定する。ここで、判定部２２は、用紙Ｐが矢印Ｂ方向に搬送された場合、正方向に搬送されたと判定する。一方、判定部２２は、用紙Ｐが矢印Ａ方向に搬送された場合、逆方向に搬送されたと判定する。
【００３５】
また、第３構成（図４参照）の場合、判定部２２は、磁気ヘッド５ｄ又は５ｅが磁気インク文字Ｍを読み取ると、用紙Ｐが矢印Ａ方向に搬送されたか否かを判定する。ここで、判定部２２は、用紙Ｐが矢印Ａ方向に搬送された場合、正方向に搬送されたと判定する。
一方、判定部２２は、用紙Ｐが矢印Ｂ方向に搬送された場合、逆方向に搬送されたと判定する。
【００３６】
なお、判定部２２は、用紙Ｐが搬送されたにも関わらず、磁気ヘッド５で磁気インク文字Ｍの読み取りが行われない場合、用紙Ｐの向きが不適切と判断する。この場合、判定部２２は、用紙Ｐの向きの変更を指示する報知画面を表示部１４に表示させることで報知を行ってもよい。
【００３７】
補正部２３は、判定部２２が逆方向と判定した場合、磁気ヘッド５で読み取られた信号波形を上下左右方向に反転する補正を行う。この補正により、信号波形は、正方向で読み取った信号波形と同等となる。
【００３８】
認識部２４は、判定部２２が正方向と判定した場合、磁気ヘッド５が読み取った信号波形に基づいて、磁気インク文字Ｍを認識する。また、認識部２４は、判定部２２が正方向と判定した場合、補正部２３が補正した信号波形に基づいて、磁気インク文字Ｍを認識する。具体的に、認識部２４は、磁気ヘッド５で読み取られた信号波形又は補正部２３が補正した信号波形と、各文字の信号波形パターンが登録された文字認識用の登録波形パターンとを照合する。そして、認識部２４は、登録波形パターンと、信号波形との類似度を求め、当該類似度が基準値以上となる登録波形パターンの文字を、磁気ヘッド５の読み取り文字として認識する。
【００３９】
出力制御部２５は、認識部２４が認識した読み取り文字を表示部１４に出力する。なお、出力方法は特に問わず、表示部１４以外の装置を用いて読み取り文字を出力してもよい。例えば、情報読取装置１が印字装置を備える場合、出力制御部２５は、印字装置を介して読み取り文字を出力してもよい。
【００４０】
以下、図８を参照して、情報読取装置１の動作について説明する。まず、搬送制御部２１は、用紙検出部１６の検出結果に基づき、用紙搬送路２に用紙Ｐが挿入されるまで待機する（ステップＳ１１；Ｎｏ）。用紙搬送路２に用紙Ｐが挿入されると（ステップＳ１１；Ｙｅｓ）、搬送制御部２１は、用紙Ｐが挿入された端部側とは逆の端部側に、当該用紙Ｐを搬送させる（ステップＳ１２）。
【００４１】
続いて、判定部２２は、用紙Ｐの搬送に伴い、磁気ヘッド５により磁気インク文字Ｍが読み取られたか否かを判定する（ステップＳ１３）。ここで、読み取りが行われない場合（ステップＳ１３；Ｎｏ）、判定部２２は、用紙Ｐの向きが不適切と判断する。そして、判定部２２は、用紙Ｐの向きの変更を促す報知画面を表示部１４に表示させ（ステップＳ１４）、本処理を終了する。
【００４２】
一方、磁気インク文字Ｍが読み取られた場合（ステップＳ１３；Ｙｅｓ）、判定部２２は、設定情報を参照する。次いで、判定部２２は、用紙Ｐの搬送方向が、磁気インク文字Ｍを読み取った磁気ヘッド５に対応付けられた正方向と一致するか否かを判定する（ステップＳ１５）。ここで、判定部２２が一致すると判定した場合、つまり正方向と判定した場合（ステップＳ１５；Ｙｅｓ）、ステップＳ１７に移行する。
【００４３】
また、判定部２２が、不一致と判定した場合、つまり逆方向と判定した場合（ステップＳ１５；Ｎｏ）、補正部２３は、磁気ヘッド５で読み取られた信号波形を上下左右方向に反転し（ステップＳ１６）、ステップＳ１７に移行する。
【００４４】
ステップＳ１７において、認識部２４は、磁気ヘッド５で読み取られた信号波形又は補正部２３で反転された信号波形と、登録波形パターンとを照合し、読み取り文字を認識する（ステップＳ１７）。そして、出力制御部２５は、認識部２４が認識した読み取り文字を、表示部１４等を介して出力し（ステップＳ１８）、本処理を終了する。
【００４５】
以上のように、本実施形態の情報読取装置１は、磁気ヘッド５での磁気インク文字Ｍの読み取りに伴い、用紙Ｐ（磁気インク文字Ｍ）が正方向で搬送されたか否かを判定する。また、情報読取装置１は、用紙Ｐ（磁気インク文字Ｍ）が逆方向で搬送された場合に、磁気ヘッド５が読み取った信号波形を上下左右方向に反転し、当該信号波形に基づいて読み取り文字の認識を行う。これにより、情報読取装置１では、図１に示した矢印Ａ又は矢印Ｂから用紙Ｐが搬送された場合でも、磁気インク文字Ｍを正しく読み取ることができる。したがって、情報読取装置１は、一方向への搬送により用紙Ｐ（磁気インク文字Ｍ）から正確な信号波形を得ることができるため、磁気インク文字Ｍの読み取りを効率的に行うことができる。
【００４６】
以上、本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【００４７】
例えば、磁気ヘッド５の設置位置は、上記した第１構成〜第３構成に限らず、用紙Ｐのフォーマットに応じて適宜変更することが可能である。また、第１構成〜第３構成を組み合わせることで、用紙搬送路２下に一の磁気ヘッド５を設けたり、用紙搬送路２の上下で且つ長手方向の両辺側に磁気ヘッド５をそれぞれ設けてもよい。
【００４８】
また、用紙Ｐの搬送方法は、上記例に限らないものとする。例えば、搬送制御部２１は、挿入された端部側から反対の端部方向に用紙Ｐを搬送させた後、当該用紙Ｐを挿入された端部側に戻すよう逆方向に搬送させてもよい。このように、往復の搬送とした場合、磁気ヘッド５は、用紙Ｐを往路と復路とで２回読み取ることができる。この場合、判定部２２は、往路と復路との各々で正方向か逆方向かを判定し、補正部２３は、逆方向で読み取られた信号波形を上下左右方向に反転する。なお、認識部２４は、２回の読み取りで得られた信号波形の全てを用いて文字認識を行ってもよいし、何れか一方の読み取りで得られた信号波形を用いて文字認識を行ってもよい。
【００４９】
また、上記実施形態の情報読取装置１で実行されるプログラムは、インストール可能な形式または実行可能な形式のファイルでフロッピー（登録商標）ディスク、ＣＤ（Compact  Disc）、ＣＤ−Ｒ（Compact  Disc-Recordable）、ＣＤ−ＲＯＭ（Compact  Disc  Read  Only  Memory）、ＤＶＤ（Digital  Versatile  Disc）、ＳＤメモリカード（SD  memory  card）、ＵＳＢメモリ（Universal  Serial  Bus  memory）等のコンピュータで読み取り可能な記録媒体に記録して提供するように構成してもよい。
【００５０】
また、上記実施形態の情報読取装置１で実行されるプログラムを、インターネット等のネットワークに接続されたコンピュータ上に格納し、ネットワーク経由でダウンロードさせること等により提供するように構成してもよい。
【００５１】
また、上記実施形態の情報読取装置１の各機能部は、一又は複数の処理回路によって実現することも可能である。ここで、処理回路は、上記したプロセッサ（例えば、ＣＰＵ１１）や、各機能部を実現するよう設計されたＡＳＩＣ（Application  Specific  Integrated  Circuit）や回路モジュール等のハードウェアを含む概念である。
【符号の説明】
【００５２】
１  情報読取装置
２  用紙搬送路
３  搬送ローラ
４  用紙センサ
５  磁気ヘッド
２１  搬送制御部
２２  判定部
２３  補正部
２４  認識部
２５  出力制御部
【先行技術文献】
【特許文献】
【００５３】
【特許文献１】特開２０１２−２２１３３７号公報
【図１】
2017126161.tif 000003
【図２】
2017126161.tif 000004
【図３】
2017126161.tif 000005
【図４】
2017126161.tif 000006
【図５】
2017126161.tif 000007
【図６】
2017126161.tif 000008
【図７】
2017126161.tif 000009
【図８】
2017126161.tif 000010